(57)【要約】  本発明は、少なくとも一つのコンピューティング装置のコンテンツ認証情報を管理するＤＲＭサーバと結合する中古コンテンツサーバでコンテンツを再販売する方法において、第１コンピューティング装置からコンテンツ再販売要請情報を受信する段階と、再販売要請されたコンテンツの認証情報をＤＲＭサーバから確認する段階と、コンテンツの認証情報が有効な場合、コンテンツを販売登録する段階と、登録されたコンテンツの購買要請情報を第２コンピューティング装置から受信する段階と、ＤＲＭサーバへコンテンツ認証情報の変更を要請する段階と、ＤＲＭサーバからコンテンツ認証情報の変更応答を受信する段階と、第２コンピューティング装置にコンテンツを再販売する段階とを含む、コンテンツ再販売方法を提供することができる。
2008515081.tif 000002
【特許請求の範囲】
【請求項１】
少なくとも一つのコンピューティング装置にそれぞれ格納されるコンテンツの認証情報を管理するＤＲＭサーバと結合する中古コンテンツサーバでコンテンツを再販売する方法において、
第１コンピューティング装置からコンテンツ再販売要請情報を受信する段階−ここで、前記コンテンツは前記ＤＲＭサーバによって予め認証され、前記第１コンピューティング装置に格納されているものである−と、
前記受信したコンテンツ再販売要請情報に相応するコンテンツの認証情報が有効なものかを前記ＤＲＭサーバに確認する段階と、
前記コンテンツの認証情報が有効な場合、前記コンテンツを販売登録する段階と、
前記販売登録されたコンテンツの購買要請情報を第２コンピューティング装置から受信する段階と、
前記第２コンピューティング装置から受信した購買要請情報に相応するコンテンツのコンテンツ認証情報の変更を前記ＤＲＭサーバに要請する段階と、
前記ＤＲＭサーバからコンテンツ認証情報の変更応答を受信する段階−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記第２コンピューティング装置に前記コンテンツを再販売する段階と、を含むことを特徴とする、コンテンツ再販売方法。
【請求項２】
前記再販売されるコンテンツは、ＯＭＡ(Open Mobile Alliance)２．０方式の暗号化技法によるＲＯ(Right Object)を含んでいるコンテンツであることを特徴とする、請求項１に記載のコンテンツ再販売方法。
【請求項３】
前記ＤＲＭサーバは、ＯＭＡ(Open Mobile Alliance)２．０基盤の暗号化方式を利用して認証情報を管理することを特徴とする、請求項１に記載のコンテンツ再販売方法。
【請求項４】
前記認証情報は、ＯＭＡ(Open Mobile Alliance)２．０基盤の暗号化方式におけるＲＯ(Right Object)情報であることを特徴とする、請求項１に記載のコンテンツ再販売方法。
【請求項５】
少なくとも一つのコンピューティング装置にそれぞれ格納されるコンテンツ認証情報を管理するＤＲＭサーバと結合する中古コンテンツサーバで使用制限コンテンツを再販売する方法において、
第１コンピューティング装置から使用制限コンテンツの再販売要請情報を受信する段階−ここで、前記コンテンツは前記ＤＲＭサーバによって予め認証され、前記第１コンピューティング装置に格納されているものである−と、
前記受信したコンテンツ再販売要請情報に相応するコンテンツの認証情報が有効なものかを前記ＤＲＭサーバに確認する段階と、
前記受信したコンテンツ再販売要請情報に相応するコンテンツの使用制限が再販売可能な条件なのかを前記ＤＲＭサーバに確認する段階と、
前記コンテンツの認証情報が有効であり且つ前記使用制限が再販売可能な条件の場合、前記コンテンツを販売登録する段階と、
前記販売登録されたコンテンツの認証情報の変更を前記ＤＲＭサーバへ要請する段階と、
前記ＤＲＭサーバからコンテンツ認証情報の変更応答を受信する段階−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記販売登録されたコンテンツの購買要請情報を第２コンピューティング装置から受信する段階と、
前記ＤＲＭサーバへコンテンツ認証情報の変更を要請する段階と、
前記ＤＲＭサーバからコンテンツ認証情報の変更応答を受信する段階と、
前記第２コンピューティング装置に前記コンテンツを再販売する段階と、を含むことを特徴とする、コンテンツ再販売方法。
【請求項６】
前記再販売されるコンテンツは、ＯＭＡ(Open Mobile Alliance)２．０方式の暗号化技法によるＲＯ(Right Object)を含んでいるコンテンツであることを特徴とする、請求項５に記載のコンテンツ再販売方法。
【請求項７】
前記ＤＲＭサーバは、ＯＭＡ(Open Mobile Alliance)２．０基盤の暗号化方式を利用して認証情報を管理することを特徴とする、請求項５に記載のコンテンツ再販売方法。
【請求項８】
前記認証情報は、ＯＭＡ(Open Mobile Alliance)２．０基盤の暗号化方式におけるＲＯ(Right Object)情報であることを特徴とする、請求項５に記載のコンテンツ再販売方法。
【請求項９】
少なくとも一つのコンピューティング装置にそれぞれ格納されるコンテンツの認証情報を管理するＤＲＭサーバと結合する中古コンテンツサーバで認証情報を再販売する方法において、
第１コンピューティング装置からコンテンツ認証情報販売要請情報を受信する段階−ここで、前記コンテンツは前記ＤＲＭサーバによって予め認証され、前記第１コンピューティング装置に格納されているものである−と、
前記受信したコンテンツ認証情報販売要請情報に相応するコンテンツの認証情報が有効なものかを前記ＤＲＭサーバに確認する段階と、
前記コンテンツの認証情報が有効な場合、前記コンテンツ認証情報を販売登録する段階と、
前記ＤＲＭサーバへ前記販売登録されたコンテンツ認証情報の変更を要請する段階と、
前記ＤＲＭサーバからコンテンツ認証情報の変更応答を受信する段階−ここで、前記ＤＲＭサーバが伝送する認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記販売登録されたコンテンツ認証情報の購買要請情報を第２コンピューティング装置から受信する段階と、
前記ＤＲＭサーバへ前記購買要請されたコンテンツの認証情報の変更を要請する段階と、
前記ＤＲＭサーバから前記コンテンツの認証情報の変更応答を受信する段階と、
前記第２コンピューティング装置に前記コンテンツ認証情報を再販売する段階と、を含むことを特徴とする、認証情報再販売方法。
【請求項１０】
前記再販売されるコンテンツは、ＯＭＡ(Open Mobile Alliance)２．０方式の暗号化技法によるＲＯ(Right Object)を含んでいるコンテンツであることを特徴とする、請求項９に記載の認証情報再販売方法。
【請求項１１】
前記ＤＲＭサーバは、ＯＭＡ(Open Mobile Alliance)２．０基盤の暗号化方式を利用して認証情報を管理することを特徴とする、請求項９に記載の認証情報再販売方法。
【請求項１２】
前記認証情報は、ＯＭＡ(Open Mobile Alliance)２．０基盤の暗号化方式におけるＲＯ(Right Object)情報であることを特徴とする、請求項９に記載の認証情報再販売方法。
【請求項１３】
少なくとも一つのコンピューティング装置と結合する中古コンテンツサーバでコンテンツを再販売する方法において、
前記中古コンテンツサーバはＤＲＭサーバと結合し、前記中古コンテンツサーバで販売する中古コンテンツは前記ＤＲＭサーバによって認証された認証情報を含んでいるコンテンツであり、前記中古コンテンツを前記少なくとも一つのコンピューティング装置に再販売する場合、前記ＤＲＭサーバで前記再販売される中古コンテンツの認証情報を更新することを特徴とする、コンテンツ再販売方法。
【請求項１４】
少なくとも一つのコンピューティング装置と結合する中古コンテンツサーバでコンテンツ認証情報を再販売する方法において、
前記中古コンテンツサーバはＤＲＭサーバと結合し、前記中古コンテンツサーバで販売するコンテンツ認証情報は前記ＤＲＭサーバによって認証されたコンテンツ認証情報であり、前記コンテンツ認証情報を前記少なくとも一つのコンピューティング装置に再販売する場合、前記ＤＲＭサーバで前記再販売されるコンテンツ認証情報を更新することを特徴とする、認証情報再販売方法。
【請求項１５】
少なくとも一つのコンピューティング装置にそれぞれ格納されるコンテンツの認証情報を管理するＤＲＭサーバと結合してコンテンツを再販売する中古コンテンツサーバにおいて、
第１コンピューティング装置からコンテンツ再販売要請情報を受信する手段−ここで、前記コンテンツは前記ＤＲＭサーバによって予め認証され、前記第１コンピューティング装置に格納されているものである−と、
前記受信したコンテンツ再販売要請情報に相応するコンテンツの認証情報が有効なものかを前記ＤＲＭサーバに確認する手段と、
前記コンテンツの認証情報が有効な場合、前記コンテンツを販売登録する手段と、
前記販売登録されたコンテンツの購買要請情報を第２コンピューティング装置から受信する手段と、
前記第２コンピューティング装置から受信した購買要請情報に相応するコンテンツのコンテンツ認証情報の変更を前記ＤＲＭサーバへ要請する手段と、
前記ＤＲＭサーバからコンテンツ認証情報の変更応答を受信する手段−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記第２コンピューティング装置に前記コンテンツを再販売する手段と、を含むことを特徴とする、中古コンテンツサーバ。
【請求項１６】
前記再販売されるコンテンツは、ＯＭＡ(Open Mobile Alliance)２．０方式の暗号化技法によるＲＯ(Right Object)を含んでいるコンテンツであることを特徴とする、請求項１５に記載の中古コンテンツサーバ。
【請求項１７】
前記ＤＲＭサーバは、ＯＭＡ(Open Mobile Alliance)２．０基盤の暗号化方式を利用して認証情報を管理することを特徴とする、請求項１５に記載の中古コンテンツサーバ。
【請求項１８】
前記認証情報は、ＯＭＡ(Open Mobile Alliance)２．０基盤の暗号化方式におけるＲＯ(Right Object)情報であることを特徴とする、請求項１５に記載の中古コンテンツサーバ。
【請求項１９】
少なくとも一つのコンピューティング装置にそれぞれ格納されるコンテンツ認証情報を管理するＤＲＭサーバと結合して使用制限コンテンツを再販売する中古コンテンツサーバにおいて、
第１コンピューティング装置から使用制限コンテンツ再販売要請情報を受信する手段−ここで、前記コンテンツは前記ＤＲＭサーバによって予め認証され、前記第１コンピューティング装置に格納されているものである−と、
前記受信したコンテンツ再販売要請情報に相応するコンテンツの認証情報が有効なものかを前記ＤＲＭサーバに確認する手段と、
前記受信したコンテンツ再販売要請情報に相応するコンテンツの使用制限が再販売可能な条件なのかを前記ＤＲＭサーバに確認する手段と、
前記コンテンツの認証情報が有効であり且つ前記使用制限が再販売可能な条件の場合、前記コンテンツを販売登録する手段と、
前記販売登録されたコンテンツの認証情報の変更を前記ＤＲＭサーバへ要請する手段と、
前記ＤＲＭサーバからコンテンツ認証情報の変更応答を受信する手段−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記販売登録されたコンテンツの購買要請情報を第２コンピューティング装置から受信する手段と、
前記ＤＲＭサーバへコンテンツ認証情報の変更を要請する手段と、
前記ＤＲＭサーバからコンテンツ認証情報の変更応答を受信する手段と、
前記第２コンピューティング装置に前記コンテンツを再販売する手段と、を含むことを特徴とする、中古コンテンツサーバ。
【請求項２０】
少なくとも一つのコンピューティング装置にそれぞれ格納されるコンテンツ認証情報を管理するＤＲＭサーバと結合してコンテンツ認証情報を再販売する中古コンテンツサーバにおいて、
第１コンピューティング装置からコンテンツ認証情報販売要請情報を受信する手段−ここで、前記コンテンツは前記ＤＲＭサーバによって予め認証され、前記第１コンピューティング装置に格納されているものである−と、
前記受信したコンテンツ認証情報販売要請情報に相応するコンテンツの認証情報が有効なものかを前記ＤＲＭサーバに確認する手段と、
前記コンテンツの認証情報が有効な場合、前記コンテンツ認証情報を販売登録する手段と、
前記ＤＲＭサーバへ前記販売要請されたコンテンツ認証情報の変更を要請する手段と、
前記ＤＲＭサーバからコンテンツ認証情報の変更応答を受信する手段−ここで、前記ＤＲＭサーバが伝送する認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−と、
前記販売登録されたコンテンツ認証情報の購買要請情報を第２コンピューティング装置から受信する手段と、
前記ＤＲＭサーバへ前記購買要請されたコンテンツの認証情報の変更を要請する手段と、
前記ＤＲＭサーバから前記コンテンツの認証情報の変更応答を受信する手段と、
前記第２コンピューティング装置に前記コンテンツ認証情報を再販売する手段と、を含むことを特徴とする、中古コンテンツサーバ。
【請求項２１】
少なくとも一つのコンピューティング装置と結合してコンテンツを再販売する中古コンテンツサーバにおいて、
前記中古コンテンツサーバはＤＲＭサーバと結合し、前記中古コンテンツサーバで販売する中古コンテンツは前記ＤＲＭサーバによって認証された認証情報を含んでいるコンテンツであり、前記中古コンテンツを前記少なくとも一つのコンピューティング装置へ再販売する場合、前記ＤＲＭサーバで前記再販売される中古コンテンツの認証情報を更新することを特徴とする、中古コンテンツサーバ。
【請求項２２】
少なくとも一つのコンピューティング装置と結合してコンテンツ認証情報を再販売する中古コンテンツサーバにおいて、
前記中古コンテンツサーバはＤＲＭサーバと結合し、前記中古コンテンツサーバで販売するコンテンツ認証情報は前記ＤＲＭサーバによって認証されたコンテンツ認証情報であり、前記コンテンツ認証情報を前記少なくとも一つのコンピューティング装置に再販売する場合、前記ＤＲＭサーバで前記再販売されるコンテンツ認証情報を更新することを特徴とする、中古コンテンツサーバ。
【請求項２３】
メモリを含む演算可能な装置であって、
プロセッシングユニットと、
前記プロセッシングユニットと結合するメモリ記憶装置とを備えるが、
前記メモリ記憶装置は、
第１コンピューティング装置からコンテンツ再販売要請情報を受信−ここで、前記コンテンツは前記ＤＲＭサーバによって予め認証され、前記第１コンピューティング装置に格納されているものである−し、前記受信したコンテンツ再販売要請情報に相応するコンテンツの認証情報が有効なものかを前記ＤＲＭサーバに確認し、前記コンテンツの認証情報が有効な場合、前記コンテンツを販売登録し、前記販売登録されたコンテンツの購買要請情報を第２コンピューティング装置から受信し、前記第２コンピューティング装置から受信した購買要請情報に相応するコンテンツのコンテンツ認証情報の変更を前記ＤＲＭサーバに要請し、前記ＤＲＭサーバからコンテンツ認証情報の変更応答を受信−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−し、前記第２コンピューティング装置に前記コンテンツを再販売するための複数の命令を記憶するのに適したことを特徴とする、メモリを含む演算可能な装置。
【請求項２４】
メモリを含む演算可能な装置であって、
プロセッシングユニットと、
前記プロセッシングユニットと結合するメモリ記憶装置とを備えるが、
前記メモリ記憶装置は、
第１コンピューティング装置から使用制限コンテンツの再販売要請情報を受信−ここで、前記コンテンツは前記ＤＲＭサーバによって予め認証され、前記第１コンピューティング装置に格納されているものである−し、前記受信したコンテンツ再販売要請情報に相応するコンテンツの認証情報が有効なものかを前記ＤＲＭサーバに確認し、前記受信したコンテンツ再販売要請情報に相応するコンテンツの使用制限が再販売可能な条件なのかを前記ＤＲＭサーバに確認し、前記コンテンツの認証情報が有効であり且つ前記使用制限が再販売可能な条件の場合、前記コンテンツを販売登録し、前記販売登録されたコンテンツの認証情報の変更を前記ＤＲＭサーバへ要請し、前記ＤＲＭサーバからコンテンツ認証情報の変更応答を受信−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−し、前記販売登録されたコンテンツの購買要請情報を第２コンピューティング装置から受信し、前記ＤＲＭサーバへコンテンツ認証情報の変更を要請し、前記ＤＲＭサーバからコンテンツ認証情報の変更応答を受信し、前記第２コンピューティング装置に前記コンテンツを再販売するための複数の命令を記憶するのに適したことを特徴とする、メモリを含む演算可能な装置。
【請求項２５】
メモリを含む演算可能な装置であって、
プロセッシングユニットと、
前記プロセッシングユニットと結合するメモリ記憶装置とを備えるが、
前記メモリ記憶装置は、
第１コンピューティング装置からコンテンツ認証情報販売要請情報を受信−ここで、前記コンテンツは前記ＤＲＭサーバによって予め認証され、前記第１コンピューティング装置に格納されているものである−し、前記受信したコンテンツ認証情報販売要請情報に相応するコンテンツの認証情報が有効なものかを前記ＤＲＭサーバに確認し、前記コンテンツの認証情報が有効な場合、前記コンテンツ認証情報を販売登録し、前記ＤＲＭサーバへ前記販売登録されたコンテンツ認証情報の変更を要請し、前記ＤＲＭサーバからコンテンツ認証情報の変更応答を受信−ここで、前記ＤＲＭサーバが伝送する認証情報変更応答信号は、前記中古コンテンツサーバからコンテンツ認証情報の変更要請信号を受信した前記ＤＲＭサーバが前記第１コンピューティング装置側へコンテンツ認証情報の削除を要請し、前記コンテンツ認証情報の削除要請を受信した前記第１コンピューティング装置がコンテンツ認証情報を削除した後、前記ＤＲＭサーバへ伝送したコンテンツ認証情報削除応答信号を受信した前記ＤＲＭサーバによって伝送されたものである−し、前記販売登録されたコンテンツ認証情報の購買要請信号を第２コンピューティング装置から受信し、前記ＤＲＭサーバへ前記購買要請されたコンテンツの認証情報の変更を要請し、前記ＤＲＭサーバから前記コンテンツの認証情報の変更応答を受信し、前記第２コンピューティング装置に前記コンテンツ認証情報を再販売するための複数の命令を記憶するのに適したことを特徴とする、メモリを含む演算可能な装置。  
【発明の詳細な説明】
【技術分野】
【０００１】
本発明は、中古コンテンツ販売方法および装置に関する。
【背景技術】
【０００２】
インターネット環境が発展するにつれて、ソフトウェアを始めとした様々な無形コンテンツの売買が盛んに行われている。特に、ダウンロードの方法などによって記録媒体を利用せずに直接販売者からデジタル形式の情報のみを購買したユーザは、デジタル形式の情報がその効用の点からみて使い尽くされたと判断される場合には、デジタル形式の情報を必要とする別のユーザに合法的に販売または譲渡することが可能な方法が殆どないため、不法に提供し或いはデジタル情報を削除した。
【０００３】
一方、このような不便さを解決するために、いろいろの方法を韓国特許第１０−２００３−００１０３４９号明細書および韓国特許第１０−２００３−００１１９９５号明細書に開示してある。
【０００４】
これらの既存の特許は、ＣＤ ＲＯＭまたはその他の記録媒体に含まれたデジタル情報コンテンツの再活用方法、またはデジタル情報の直接的な再活用方法を提案している。ところが、これらの既存の特許は、元ユーザのデジタル情報、すなわちコンテンツに特別なユーザ認証情報が含まれていない一般的なコンテンツを対象としているので、コンテンツの不法な複製または別の方式の認証されていない使用を制限することが可能な方法が存在しなかった。
【発明の開示】
【発明が解決しようとする課題】
【０００５】
本発明の目的は、中古コンテンツ販売方法および装置を提供することにある。
【０００６】
また、本発明の他の目的は、ＤＲＭ(Digital Right Management)を用いた、コンテンツの使用認証情報および使用認証情報を含むコンテンツの再販売方法および装置を提供することにある。
【課題を解決するための手段】
【０００７】
上記目的を達成するために、本発明は、少なくとも一つのコンピューティング装置のコンテンツ認証情報を管理するＤＲＭサーバと結合する中古コンテンツサーバでコンテンツを再販売する方法において、前記第１コンピューティング装置からコンテンツ再販売要請情報を受信する段階と、前記再販売要請されたコンテンツの認証情報を前記ＤＲＭサーバから確認する段階と、前記コンテンツの認証情報が有効な場合、前記コンテンツを販売登録する段階と、前記登録されたコンテンツの購買要請情報を第２コンピューティング装置から受信する段階と、前記ＤＲＭサーバへコンテンツ認証情報の変更を要請する段階と、前記ＤＲＭサーバからコンテンツ認証情報の変更応答を受信する段階−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−と、前記第２コンピューティング装置に前記コンテンツを再販売する段階とを含む、コンテンツ再販売方法を提供することができる。
【０００８】
好適な実施例において、前記再販売されるコンテンツは、ＯＭＡ(Open Mobile Alliance)２．０方式の暗号化技法によるＲＯ(Right Object)を含んでいるコンテンツであることを特徴とすることができる。また、前記ＤＲＭサーバは、ＯＭＡ(Open Mobile Alliance)２．０基盤の暗号化方式を利用したことを特徴とすることができる。また、前記認証情報は、ＯＭＡ(Open Mobile Alliance)２．０基盤の暗号化方式におけるＲＯ(Right Object)情報であることを特徴とすることができる。
【０００９】
本発明の他の一側面を参照すると、少なくとも一つのコンピューティング装置のコンテンツ認証情報を管理するＤＲＭサーバと結合する中古コンテンツサーバで使用制限コンテンツを再販売する方法において、前記第１コンピューティング装置から使用制限コンテンツの再販売要請情報を受信する段階と、前記再販売要請されたコンテンツの認証情報を前記ＤＲＭサーバから確認する段階と、前記再販売要請されたコンテンツの使用制限が再販売可能な条件なのか否かを前記ＤＲＭサーバから確認する段階と、前記コンテンツの認証情報および使用制限条件が再販売に有効な場合、前記コンテンツを販売登録する段階と、前記登録されたコンテンツの認証情報の変更を前記ＤＲＭサーバへ要請する段階と、前記ＤＲＭサーバからコンテンツ認証情報の変更応答を受信する段階−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−と、前記登録されたコンテンツの購買要請情報を第２コンピューティング装置から受信する段階と、前記ＤＲＭサーバへコンテンツ認証情報の変更を要請する段階と、前記ＤＲＭサーバからコンテンツ認証情報の変更応答を受信する段階と、前記第２コンピューティング装置に前記コンテンツを再販売する段階とを含む、コンテンツ再販売方法を提供することができる。
【００１０】
好適な実施例において、前記再販売されるコンテンツは、ＯＭＡ(Open Mobile Alliance)２．０方式の暗号化技法によるＲＯ(Right Object)を含んでいるコンテンツであることを特徴とすることができる。また、前記ＤＲＭサーバは、ＯＭＡ(Open Mobile Alliance)２．０基盤の暗号化方式を利用したことを特徴とすることができる。また、前記認証情報は、ＯＭＡ(Open Mobile Alliance)２．０基盤の暗号化方式におけるＲＯ(Right Object)情報であることを特徴とすることができる。
【００１１】
本発明の別の一側面を参照すると、少なくとも一つのコンピューティング装置のコンテンツ認証情報を管理するＤＲＭサーバと結合する中古コンテンツサーバで認証情報を再販売する方法において、前記第１コンピューティング装置から認証情報販売要請情報を受信する段階と、前記販売要請された認証情報を前記ＤＲＭサーバから確認する段階と、前記コンテンツの認証情報が有効な場合、前記認証情報を販売登録する段階と、前記ＤＲＭサーバへ前記販売要請された認証情報の変更を要請する段階と、前記ＤＲＭサーバから認証情報の変更応答を受信する段階−ここで、前記ＤＲＭサーバが伝送する認証情報変更応答信号は、前記中古コンテンツサーバから認証情報の変更要請信号を受信した前記ＤＲＭサーバが前記第１コンピューティング装置へ認証情報の削除を要請し、前記要請情報を受信した前記第１コンピューティング装置によって伝送される認証情報削除応答信号を受信した前記ＤＲＭサーバが伝送したものである−と、前記登録された認証情報の購買要請情報を第２コンピューティング装置から受信する段階と、前記ＤＲＭサーバへ認証情報の変更を要請する段階と、前記ＤＲＭサーバから認証情報の変更応答を受信する段階と、前記第２コンピューティング装置に前記認証情報を再販売する段階とを含む、認証情報再販売方法を提供することができる。
【００１２】
好適な実施例において、前記再販売されるコンテンツは、ＯＭＡ(Open Mobile Alliance)２．０方式の暗号化技法によるＲＯ(Right Object)を含んでいるコンテンツであることを特徴とすることができる。また、前記ＤＲＭサーバは、ＯＭＡ(Open Mobile Alliance)２．０基盤の暗号化方式を利用したことを特徴とすることができる。また、前記認証情報は、ＯＭＡ(Open Mobile Alliance)２．０基盤の暗号化方式におけるＲＯ(Right Object)情報であることを特徴とすることができる。
【００１３】
本発明の別の一側面を参照すると、少なくとも一つのコンピューティング装置と結合する中古コンテンツサーバでコンテンツを再販売する方法において、前記中古コンテンツサーバはＤＲＭサーバと結合し、前記中古コンテンツサーバで販売する中古コンテンツは前記ＤＲＭサーバによって認証された認証情報を含んでいるコンテンツであり、前記中古コンテンツの再販売の際に前記ＤＲＭサーバで前記中古コンテンツの認証情報を更新することを特徴とする、コンテンツ再販売方法を提供することができる。
【００１４】
本発明の別の一側面を参照すると、少なくとも一つのコンピューティング装置と結合する中古コンテンツサーバで認証情報を再販売する方法において、前記中古コンテンツサーバはＤＲＭサーバと結合し、前記中古コンテンツサーバで販売する認証情報は前記ＤＲＭサーバによって認証された認証情報であり、前記認証情報の再販売の際に前記ＤＲＭサーバで前記認証情報を更新することを特徴とする、認証情報再販売方法を提供することができる。
【００１５】
本発明の別の一側面を参照すると、少なくとも一つのコンピューティング装置のコンテンツ認証情報を管理するＤＲＭサーバと結合してコンテンツを再販売する中古コンテンツサーバにおいて、前記第１コンピューティング装置からコンテンツ再販売要請情報を受信する手段と、前記再販売要請されたコンテンツの認証情報を前記ＤＲＭサーバから確認する手段と、前記コンテンツの認証情報が有効な場合、前記コンテンツを販売登録する手段と、前記登録されたコンテンツの購買要請情報を第２コンピューティング装置から受信する手段と、前記ＤＲＭサーバへコンテンツ認証情報の変更を要請する手段と、前記ＤＲＭサーバからコンテンツ認証情報の変更応答を受信する手段−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−と、前記第２コンピューティング装置に前記コンテンツを再販売する手段とを含む、中古コンテンツサーバを提供することができる。
【００１６】
好適な実施例において、前記再販売されるコンテンツは、ＯＭＡ(Open Mobile Alliance)２．０方式の暗号化技法によるＲＯ(Right Object)を含んでいるコンテンツであることを特徴とすることができる。また、前記ＤＲＭサーバは、ＯＭＡ(Open Mobile Alliance)２．０基盤の暗号化方式を利用したことを特徴とすることができる。また、前記認証情報は、ＯＭＡ(Open Mobile Alliance)２．０基盤の暗号化方式におけるＲＯ(Right Object)情報であることを特徴とすることができる。
【００１７】
本発明の別の一側面を参照すると、少なくとも一つのコンピューティング装置のコンテンツ認証情報を管理するＤＲＭサーバと結合して使用制限コンテンツを再販売する中古コンテンツサーバにおいて、前記第１コンピューティング装置から使用制限コンテンツ再販売要請情報を受信する手段と、前記再販売要請されたコンテンツの認証情報を前記ＤＲＭサーバから確認する手段と、前記再販売要請されたコンテンツの使用制限が再販売可能な条件なのか否かを前記ＤＲＭサーバから確認する手段と、前記コンテンツの認証情報および使用制限条件が再販売に有効な場合、前記コンテンツを販売登録する手段と、前記登録されたコンテンツの認証情報の変更を前記ＤＲＭサーバへ要請する手段と、前記ＤＲＭサーバからコンテンツ認証情報の変更応答を受信する手段−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−と、前記登録されたコンテンツの購買要請情報を第２コンピューティング装置から受信する手段と、前記ＤＲＭサーバへコンテンツ認証情報の変更を要請する手段と、前記ＤＲＭサーバからコンテンツ認証情報の変更応答を受信する手段と、前記第２コンピューティング装置に前記コンテンツを再販売する手段とを含む、中古コンテンツサーバを提供することができる。
【００１８】
本発明の別の一側面を参照すると、少なくとも一つのコンピューティング装置のコンテンツ認証情報を管理するＤＲＭサーバと結合して認証情報を再販売する中古コンテンツサーバにおいて、前記第１コンピューティング装置から認証情報販売要請情報を受信する手段と、前記販売要請された認証情報を前記ＤＲＭサーバから確認する手段と、前記コンテンツの認証情報が有効な場合、前記認証情報を販売登録する手段と、前記ＤＲＭサーバへ前記販売要請された認証情報の変更を要請する手段と、前記ＤＲＭサーバから認証情報の変更応答を受信する手段−ここで、前記ＤＲＭサーバが伝送する認証情報変更応答信号は、前記中古コンテンツサーバから認証情報の変更要請信号を受信した前記ＤＲＭサーバが前記第１コンピューティング装置へ認証情報の削除を要請し、前記要請情報を受信した前記第１コンピューティング装置によって伝送される認証情報削除応答信号を受信した前記ＤＲＭサーバが伝送したものである−と、前記登録された認証情報の購買要請情報を第２コンピューティング装置から受信する手段と、前記ＤＲＭサーバへ認証情報の変更を要請する手段と、前記ＤＲＭサーバから認証情報の変更応答を受信する手段と、前記第２コンピューティング装置に前記認証情報を再販売する手段とを含む、中古コンテンツサーバを提供することができる。
【００１９】
本発明の別の一側面を参照すると、少なくとも一つのコンピューティング装置と結合してコンテンツを再販売する中古コンテンツサーバにおいて、前記中古コンテンツサーバはＤＲＭサーバと結合し、前記中古コンテンツサーバで販売する中古コンテンツは前記ＤＲＭサーバによって認証された認証情報を含んでいるコンテンツであり、前記中古コンテンツの再販売の際に前記ＤＲＭサーバで前記中古コンテンツの認証情報を更新することを特徴とする、中古コンテンツサーバを提供することができる。
【００２０】
本発明の別の一側面を参照すると、少なくとも一つのコンピューティング装置と結合して認証情報を再販売する中古コンテンツサーバにおいて、前記中古コンテンツサーバはＤＲＭサーバと結合し、前記中古コンテンツサーバで販売する認証情報は前記ＤＲＭサーバによって認証された認証情報であり、前記認証情報の再販売の際に前記ＤＲＭサーバで前記認証情報を更新することを特徴とする、中古コンテンツサーバを提供することができる。
【００２１】
本発明の別の一側面を参照すると、メモリを含む演算可能な装置であって、プロセッシングユニットと、前記プロセッシングユニットと結合するメモリ記憶装置とを備えるが、前記メモリ記憶装置は、第１コンピューティング装置からコンテンツ再販売要請情報を受信し、前記再販売要請されたコンテンツの認証情報を前記ＤＲＭサーバから確認し、前記コンテンツの認証情報が有効な場合、前記コンテンツを販売登録し、前記登録されたコンテンツの購買要請情報を第２コンピューティング装置から受信し、前記ＤＲＭサーバへコンテンツ認証情報の変更を要請し、前記ＤＲＭサーバからコンテンツ認証情報の変更応答を受信−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−し、前記第２コンピューティング装置に前記コンテンツを再販売するための複数の命令を記憶するのに適したことを特徴とする、メモリを含む演算可能な装置を提供することができる。
【００２２】
本発明の別の一側面を参照すると、メモリを含む演算可能な装置であって、プロセッシングユニットと、前記プロセッシングユニットと結合するメモリ記憶装置とを備えるが、前記メモリ記憶装置は、第１コンピューティング装置から使用制限コンテンツの再販売要請情報を受信し、前記再販売要請されたコンテンツの認証情報を前記ＤＲＭサーバから確認し、前記再販売要請されたコンテンツの使用制限が再販売可能な条件なのか否かを前記ＤＲＭサーバから確認し、前記コンテンツの認証情報および使用制限条件が再販売に有効な場合、前記コンテンツを販売登録し、前記登録されたコンテンツの認証情報の変更を前記ＤＲＭサーバへ要請し、前記ＤＲＭサーバからコンテンツ認証情報の変更応答を受信−ここで、前記ＤＲＭサーバが伝送するコンテンツ認証情報変更応答信号は、前記中古コンテンツサーバからコンテンツ認証情報の変更要請信号を受信した前記ＤＲＭサーバが前記第１コンピューティング装置へコンテンツ認証情報の削除を要請し、前記要請情報を受信した前記第１コンピューティング装置によって伝送されるコンテンツ認証情報削除応答信号を受信した前記ＤＲＭサーバが伝送したものである−し、前記登録されたコンテンツの購買要請情報を第２コンピューティング装置から受信し、前記ＤＲＭサーバへコンテンツ認証情報の変更を要請し、前記ＤＲＭサーバからコンテンツ認証情報の変更応答を受信し、前記第２コンピューティング装置に前記コンテンツを再販売するための複数の命令を記憶するのに適したことを特徴とする、メモリを含む演算可能な装置を提供することができる。
【００２３】
本発明の別の一側面を参照すると、メモリを含む演算可能な装置であって、プロセッシングユニットと、前記プロセッシングユニットと結合するメモリ記憶装置とを備えるが、前記メモリ記憶装置は、第１コンピューティング装置から認証情報販売要請情報を受信し、前記販売要請された認証情報を前記ＤＲＭサーバから確認し、前記コンテンツの認証情報が有効な場合、前記認証情報を販売登録し、前記ＤＲＭサーバへ前記販売要請された認証情報の変更を要請し、前記ＤＲＭサーバから認証情報の変更応答を受信−ここで、前記ＤＲＭサーバが伝送する認証情報変更応答信号は、前記中古コンテンツサーバから認証情報の変更要請信号を受信した前記ＤＲＭサーバが前記第１コンピューティング装置へ認証情報の削除を要請し、前記要請情報を受信した前記第１コンピューティング装置によって伝送される認証情報削除応答信号を受信した前記ＤＲＭサーバが伝送したものである−し、前記登録された認証情報の購買要請信号を第２コンピューティング装置から受信し、前記ＤＲＭサーバへ認証情報の変更を要請し、前記ＤＲＭサーバから認証情報の変更応答を受信し、前記第２コンピューティング装置に前記認証情報を再販売するための複数の命令を記憶するのに適したことを特徴とする、メモリを含む演算可能な装置を提供することができる。
【発明の効果】
【００２４】
本発明によれば、中古コンテンツ販売方法および装置を提供することができる。
【００２５】
また、本発明によれば、ＤＲＭ(Digital Right Management)を用いた、コンテンツの使用認証情報および前記使用認証情報を含むコンテンツの再販売方法および装置を提供することができる。
【発明を実施するための最良の形態】
【００２６】
以下、添付図面を参照して本発明の好適な実施例を詳細に説明する。
【００２７】
図１は本発明の好適な一実施例に係るＤＲＭ(Digital Right Management)サーバを含んで、コンテンツをサービスする通信網の構造を示す図である。
【００２８】
図１を参照すると、ユーザコンピューティング機器１０１、１０３は、一般なデスクトップコンピュータおよびモバイル端末機を含むことができる。勿論、デスクトップコンピュータまたはモバイル端末機の他にも、通信網を介してコンテンツのダウンロードまたはストリーミングを行うことが可能な通信と接続可能な全てのコンピューティング機器が、本発明のユーザコンピューティング機器１０１、１０３の対象となり得る。
【００２９】
通信網１０５は、一般な移動通信網またはインターネット通信網を含んで、データ情報を伝達することが可能な全ての種類の通信網が採用可能であり、通信網の一末端はユーザコンピューティング機器１０１、１０３と結合できる。
【００３０】
ＤＲＭサーバ１０７は、通信網１０５の一末端と結合し、ＤＲＭサーバ１０７は、ユーザコンピューティング機器１０１、１０３にコンテンツを提供するコンテンツ提供サーバ１０９と結合する。ＤＲＭサーバ１０７は、コンテンツサーバ１０９がユーザコンピューティング機器１０１、１０３にコンテンツを提供する場合、コンテンツを暗号化し、暗号化されたコンテンツを解釈することが可能な認証情報(Right Object：ＲＯ)を生成する役割を担当する。特に、本発明において、ＤＲＭサーバによって提供される暗号化方式は、ＯＭＡ(Open Mobile Alliance)２．０を基礎とすることができる。
【００３１】
ＯＭＡ(Open Mobile Alliance)２．０方式の暗号化は、コンテンツ暗号化方式の中でも世界的な標準中の一つであって、暗号化方式に関連した分野における通常の知識を有する者であれば、容易に分かることができる。よって、これについての詳細な説明は省略する。
【００３２】
図２は、本発明の好適な一実施例に係る中古コンテンツサーバを用いてコンテンツを再販売する方式を概略的に示す図である。
【００３３】
図２を参照すると、まず、販売者コンピューティング装置２０１は、以前に購買したコンテンツを使用し、コンテンツに対して、販売者コンピューティング装置２０１で必要とする効用が切れたと判断すると、中古コンテンツサーバ２０５へコンテンツの再販売を要請する。
【００３４】
すると、コンテンツの再販売要請を受信した中古コンテンツサーバ２０５は、中古コンテンツサーバ２０５と結合するＤＲＭサーバ２０７へ販売要請したコンテンツの有効有無を確認し、コンテンツが有効なコンテンツであれば、中古コンテンツサーバに販売登録を行う。その次に、登録された中古コンテンツ情報を確認した購買者コンピューティング機器２０３は、コンテンツの購買を要請する。購買要請を受信した中古コンテンツサーバ２０５は、中古コンテンツを購買者コンピューティング機器に提供し、購買費用から販売手数料を控除した残りを販売者コンピューティング装置に提供する。
【００３５】
ここで、前述した中古コンテンツの再販売を可能とするためには、まず、販売者コンピューティング機器２０１に格納されていたコンテンツがＤＲＭサーバ２０７によって認証を受け、認証情報を保有しているコンテンツでなければならない。その理由は、販売者コンピューティング機器２０１に格納されたコンテンツが正確な情報を持っていなければ、デジタルコンテンツの特性上、無限複製が可能であって、中古コンテンツの販売意味が無くなり、単に不法な複製コンテンツの伝播手段になることにある。よって、販売者のコンピューティング機器２０１に存在するコンテンツは、認証情報を含んでいるコンテンツであるか、或いは登録の前にＤＲＭサーバ２０７から確実な認証を受けなければならない。
【００３６】
図３は本発明の好適な一実施例に係る中古コンテンツサーバで使用制限のないコンテンツを再販売する順序を示す図である。
【００３７】
図３を参照すると、方式は、中古コンテンツサーバで販売が可能な認証情報を持っているコンテンツのうちの、販売者コンピューティング機器で期間または用途の制限なしに使用可能な認証情報を含むコンテンツを再販売する方式である。
【００３８】
まず、制限のない認証情報を含むコンテンツを所有した販売者コンピューティング機器からコンテンツの再販売登録要請を受ける（段階３０１）。すると、登録要請を受信した中古コンテンツサーバは、登録要請コンテンツの情報をＤＲＭサーバへ要請する（段階３０３）。情報の要請を受けたＤＲＭサーバは、コンテンツの認証情報を検索し、その結果を中古コンテンツサーバへ知らせる。その結果に基づいて、中古コンテンツサーバは、コンテンツに適切な認証情報が含まれているか否かを判断し（段階３０５）、コンテンツに適切な認証情報が含まれていなければ、コンテンツの登録を拒絶する（段階３０７）。ところが、コンテンツの認証情報が正確且つ有効であれば、コンテンツを中古コンテンツサーバに売物として登録する（段階３０９）。すると、売物として登録されたコンテンツを購買するために、購買コンピューティング機器からコンテンツの購買を要請する（段階３１１）。コンテンツの購買が要請されると、中古コンテンツサーバは、ＤＲＭサーバへコンテンツの認証情報変更を要求し（段階３１３）、認証情報を変更した後、コンテンツを購買者コンピューティング機器に提供する（段階３１５）。
【００３９】
図４は本発明の好適な一実施例に係る使用制限の在るコンテンツの再販売順序を示す図である。
【００４０】
図４を参照すると、方式は、中古コンテンツサーバで販売が可能な認証情報を持っているコンテンツのうちの、販売者コンピューティング機器で期間や用途の制限がある認証情報を含むコンテンツを再販売する方式である。
【００４１】
まず、制限のある認証情報を含むコンテンツを所有した販売者コンピューティング機器からコンテンツの再販売登録要請を受ける（段階４０１）。すると、登録要請を受信した中古コンテンツサーバは、登録要請コンテンツの情報をＤＲＭサーバへ要請する（段階４０３）。情報の要請を受けたＤＲＭサーバは、コンテンツの認証情報を検索し、その結果を中古コンテンツサーバへ知らせる。その結果に基づいて、中古コンテンツサーバは、コンテンツに適切な認証情報が含まれているか否かを判断し（段階４０５）、コンテンツに適切な認証情報が含まれていなければ、コンテンツの登録を拒絶する（段階４０７）。ところが、コンテンツの認証情報が正確且つ有効であれば、コンテンツの認証情報の制限内でコンテンツの再販売が可能なのか否かを再びＤＲＭサーバを介して確認し（段階４０９）、コンテンツが使用制限状態のために再販売不可能であれば、やはりコンテンツの登録を拒絶し（段階４１０）、コンテンツの使用制限にも拘わらずコンテンツの再販売が可能であれば、中古コンテンツサーバに売物として登録する。コンテンツは、売物として登録すると同時に、コンテンツの使用期間や用途の制限などの認証情報の制限を表示する（段階４１１）。その後、登録されたコンテンツの認証情報の変更をＤＲＭサーバに要請する。これは、認証情報の制限が期間の場合に、再販売期間中には認証情報の期間制限が中止される必要があるだけでなく、元販売者のコンピューティング機器で依然として使用されている危険を予防するためである（段階４１３）。その後、売物として登録されたコンテンツを購買するために、購買コンピューティング機器からコンテンツの購買を要請する（段階４１５）。コンテンツの購買が要請されると、中古コンテンツサーバは、ＤＲＭサーバへコンテンツの認証情報の変更を要求し（段階４１７）、認証情報を変更した後、コンテンツを購買者コンピューティング機器に提供する（段階４１９）。
【００４２】
図５は本発明の好適な一実施例に係る中古コンテンツサーバで認証情報を再販売する順序を示す図である。
【００４３】
図５を参照すると、方式は、中古コンテンツサーバで販売が可能な認証情報を持っているコンテンツの中からコンテンツ自体は容易に提供を受けることができるが、それによる認証情報の購買が難しい場合、認証情報のみを別途に分離して販売する方式である。
【００４４】
まず、コンテンツとの分離が可能な認証情報を所有した販売者コンピューティング機器から認証情報の再販売登録要請を受ける（段階５０１）。すると、登録要請を受信した中古コンテンツサーバは、登録要請認証情報の情報をＤＲＭサーバへ要請する（段階５０３）。情報の要請を受けたＤＲＭサーバは、認証情報を検索し、その結果を中古コンテンツサーバに知らせる。その結果に基づいて、中古コンテンツサーバは、認証情報が適切なのか否かを判断し（段階５０５）、認証情報が適切でなければ、認証情報の登録を拒絶する（段階５０７）。ところが、認証情報が正確且つ有効であれば、ＤＲＭサーバへ認証情報の変更を要請し（段階５０９）、認証情報を中古コンテンツサーバに売物として登録する（段階５１１）。ここで、認証情報の変更を要請することは、認証情報のユーザ情報または期間制限情報が中古コンテンツサーバに売物として登録される場合には変更されなければならないためである。その後、売物として登録された認証情報を購買するために、購買コンピューティング機器から認証情報の購買を要請する（段階５１３）。認証情報の購買が要請されると、中古コンテンツサーバは、ＤＲＭサーバへ認証情報の変更を要求し（段階５１５）、認証情報を変更した後、コンテンツを購買者コンピューティング機器に提供する（段階５１９）。
【００４５】
図６は本発明の好適な一実施例に係る制限のない認証情報を含むコンテンツの再販売順序を示す信号流れ図である。
【００４６】
図６を参照すると、まず、販売者コンピューティング装置から中古コンテンツサーバへ、制限のない認証情報を含むコンテンツの再販売要請信号を伝送する（段階６０１）。すると、信号を受信した中古コンテンツサーバは、要請されたコンテンツの認証情報の確認をＤＲＭサーバへ要請する（段階６０３）。要請信号を受信したＤＲＭサーバは、コンテンツに含まれた認証情報を確認し、その結果を中古コンテンツサーバへ伝送する（段階６０５）。コンテンツの認証情報を受信した中古コンテンツサーバは、ＤＲＭサーバから受信した認証情報が有効か否かを判断し（段階６０７）、認証情報が有効でなければ、販売者コンピューティング機器へ登録拒絶信号を伝送し（段階６０９）、認証情報が有効であると判断されると、コンテンツを売物として登録する（段階６１１）。すると、売物として登録されたコンテンツ情報を検索した購買者コンピューティング機器は、コンテンツの購買を要請する購買要請信号を中古コンテンツサーバへ伝送する（段階６１３）。その後、購買要請信号を受信した中古コンテンツサーバは、購買要請されたコンテンツ情報の認証情報の変更をＤＲＭサーバへ要請し（段階６１５）、要請信号を受信したＤＲＭサーバは、コンテンツの認証情報を変更するために、販売者コンピューティング機器に認証情報の削除要請信号を伝送する（段階６１７）。すると、販売者コンピューティング機器に存在していたコンテンツ情報の使用が中止されると同時にコンテンツの認証情報が削除され、その削除応答信号をＤＲＭサーバへ伝送する（段階６１９）。その後、認証情報削除応答を受信したＤＲＭサーバは、コンテンツの認証情報を変更して中古コンテンツサーバへ伝送し（段階６２１）、認証情報の変更信号を受信した中古コンテンツサーバは、購買者コンピューティング機器へコンテンツを変更された認証情報と共に提供する（段階６２３）。
【００４７】
図７は本発明の好適な一実施例に係る使用制限の在る認証情報を含むコンテンツの再販売方法を示す信号流れ図である。
【００４８】
図７を参照すると、まず、販売者コンピューティング装置から中古コンテンツサーバへ、使用制限の在る認証情報を含むコンテンツの再販売要請信号を伝送する（段階７０１）。すると、信号を受信した中古コンテンツサーバは、要請されたコンテンツの認証情報の確認をＤＲＭサーバへ要請する（段階７０３）。要請信号を受信したＤＲＭサーバは、コンテンツに含まれた認証情報を確認し、その結果を中古コンテンツサーバへ伝送する（段階７０５）。コンテンツの認証情報を受信した中古コンテンツサーバは、ＤＲＭサーバから受信した認証情報が有効なのか否かを判断し（段階７０７）、認証情報が有効でなければ、販売者コンピューティング機器へ登録拒絶信号を伝送し（段階７０９）、認証情報が有効であると判断されると、認証情報の使用制限にも拘わらず再販売が可能なのか否かをＤＲＭサーバへ確認要請する（段階７１１）。確認要請信号を受信したＤＲＭサーバは、使用情報を再び確認して使用制限情報を伝送する（段階７１３）。認証情報の使用制限情報を受信した中古コンテンツサーバは、使用制限情報を分析して、認証情報の使用制限にも拘わらずコンテンツの再販売が可能なのか否かを判断し、コンテンツが使用制限のために再販売不可能であれば、販売者コンピューティング機器へ登録拒絶信号を伝送し（段階７１７）、使用制限にも拘わらずコンテンツの再販売が可能であれば、コンテンツを売物として登録する（段階７１９）。コンテンツを売物として登録した後、中古コンテンツサーバは、ＤＲＭサーバへコンテンツの認証情報の変更を要請し（段階７２１）、要請を受信したＤＲＭサーバは、コンテンツの認証情報を変更するために、販売者コンピューティング機器に認証情報の削除要請信号を伝送する（段階７２３）。すると、販売者コンピューティング機器に存在していたコンテンツ情報の使用が中止されると同時にコンテンツの認証情報が削除され、その削除応答信号をＤＲＭサーバへ伝送する（段階７２５）。その後、認証情報削除応答を受信したＤＲＭサーバは、コンテンツの認証情報を変更して中古コンテンツサーバへ伝送する（段階７２７）。その次に、売物として登録されたコンテンツ情報を検索した購買者コンピューティング機器は、コンテンツの購買を要請する購買要請信号を中古コンテンツサーバへ伝送する（段階７２９）。その後、購買要請信号を受信した中古コンテンツサーバは、購買要請されたコンテンツ情報の認証情報の変更をＤＲＭサーバへ要請し（段階７３１）、要請信号を受信したＤＲＭサーバは、コンテンツの認証情報を変更して中古コンテンツサーバへ伝送し（段階７３３）、認証情報の変更信号を受信した中古コンテンツサーバは、購買者コンピューティング機器へコンテンツを変更された認証情報と共に提供する（段階７３５）。
【００４９】
図８は本発明の好適な一実施例に係る認証情報のみの再販売方法を示す信号流れ図である。
【００５０】
図８を参照すると、まず、販売者コンピューティング装置から中古コンテンツサーバへ認証情報の再販売要請信号を伝送する（段階８０１）。すると、信号を受信した中古コンテンツサーバは、ＤＲＭサーバへ要請された認証情報の確認を要請する（段階８０３）。要請信号を受信したＤＲＭサーバは、認証情報を確認し、その結果を中古コンテンツサーバへ伝送する（段階８０５）。コンテンツの認証情報を受信した中古コンテンツサーバは、ＤＲＭサーバから受信した認証情報が有効なのか否かを判断し（段階８０７）、認証情報が有効でなければ、販売者コンピューティング機器へ登録拒絶信号を伝送し（段階８０９）、認証情報が有効であると判断されると、認証情報を売物として登録する（段階８１０）。認証情報を売物として登録した後、中古コンテンツサーバは、ＤＲＭサーバへコンテンツの認証情報の変更を要請し（段階８１１）、要請を受信したＤＲＭサーバは、コンテンツの認証情報を変更するために、販売者コンピューティング機器に認証情報の削除要請信号を伝送する（段階８１３）。すると、販売者コンピューティング機器に存在していたコンテンツ情報の使用が中止されると同時にコンテンツの認証情報が削除され、その削除応答信号をＤＲＭサーバへ伝送する（段階８１５）。その後、認証情報削除応答を受信したＤＲＭサーバは、コンテンツの認証情報を変更して中古コンテンツサーバへ伝送する（段階８１７）。その次に、売物として登録された認証情報を検索した購買者コンピューティング機器は、認証情報の購買を要請する購買要請信号を中古コンテンツサーバへ伝送する（段階８１９）。その後、購買要請信号を受信した中古コンテンツサーバは、購買要請された認証情報の変更をＤＲＭサーバへ要請し（段階８２１）、要請信号を受信したＤＲＭサーバは、認証情報を変更して中古コンテンツサーバへ伝送し（段階８２３）、認証情報の変更信号を受信した中古コンテンツサーバは、購買者コンピューティング機器へ変更された認証情報を提供する（段階８２５）。
【００５１】
本発明は、実施例に限定されず、本発明の思想内において、当分野における通常の知識を有する者によって多くの変形が可能であるのは勿論である。
【図面の簡単な説明】
【００５２】
【図１】本発明の好適な一実施例に係るＤＲＭ(Digital Right Management)サーバを含んで、コンテンツをサービスする通信網の構造を示す図である。
【図２】本発明の好適な一実施例に係る中古コンテンツサーバを用いてコンテンツを再販売する方式を概略的に示す図である。
【図３】本発明の好適な一実施例に係る中古コンテンツサーバで使用制限のないコンテンツを再販売する順序を示す図である。
【図４】本発明の好適な一実施例に係る使用制限の在るコンテンツの再販売順序を示す図である。
【図５】本発明の好適な一実施例に係る中古コンテンツサーバで認証情報を再販売する順序を示す図である。
【図６】本発明の好適な一実施例に係る制限のない認証情報を含むコンテンツの再販売順序を示す信号流れ図である。
【図７】本発明の好適な一実施例に係る使用制限の在る認証情報を含むコンテンツの再販売方法を示す信号流れ図である。
【図８】本発明の好適な一実施例に係る認証情報のみの再販売方法を示す信号流れ図である。
【図１】
2008515081.tif 000003
【図２】
2008515081.tif 000004
【図３】
2008515081.tif 000005
【図４】
2008515081.tif 000006
【図５】
2008515081.tif 000007
【図６】
2008515081.tif 000008
【図７】
2008515081.tif 000009
【図８】
2008515081.tif 000010
【国際調査報告】
2008515081.tif 000011
2008515081.tif 000012